(57)【要約】【課題】  観察時の視認性と操作性に優れたシステム顕微鏡を提供する。【解決手段】  倒立顕微鏡１００の観察鏡筒２１を固定鏡筒２１ａと、この固定鏡筒に対して回動可能に支持された可動鏡筒２１ｂから構成し、正立顕微鏡２００の接眼レンズ３４で観察する際に、倒立顕微鏡１００の可動鏡筒２１ｂを回動させ、接眼レンズ２２を折り曲げた状態として観察位置から退避させる。【選択図】      図１
2005266213.tif 000002
【特許請求の範囲】
【請求項１】
標本を載置するステージと、
前記ステージの下方から前記標本の観察像を取得する観察光学系と、該観察光学系により取得された前記標本の観察像を観察する観察鏡筒とを有する倒立顕微鏡と、
前記ステージの上方から前記標本の観察像を取得する観察光学系と、該観察光学系により取得された前記標本の観察像を観察する観察鏡筒とを有する正立顕微鏡と、を具備し、
前記倒立顕微鏡および正立顕微鏡の少なくとも一方の観察鏡筒に、該観察鏡筒を観察位置から退避させる観察鏡筒退避手段を設けたことを特徴とするシステム顕微鏡。
【請求項２】
前記観察鏡筒退避手段が設けられた観察鏡筒は、固定鏡筒と可動鏡筒からなり、前記観察鏡筒退避手段は、前記可動鏡筒を前記固定鏡筒に対して回動可能に支持することを特徴とする請求項１記載のシステム顕微鏡。
【請求項３】
前記観察鏡筒退避手段が設けられた観察鏡筒は、固定鏡筒と該固定鏡筒に伸縮自在な筒状体を介して連結される可動鏡筒からなり、前記観察鏡筒退避手段は、前記可動鏡筒を前記筒状体の伸縮方向に直線移動可能にしたことを特徴とする請求項１記載のシステム顕微鏡。
【請求項４】
前記観察鏡筒退避手段が設けられた観察鏡筒は、可動鏡筒からなり、前記観察鏡筒退避手段は、前記倒立顕微鏡の観察光路の光軸方向に直線移動可能にしたことを特徴とする請求項１記載のシステム顕微鏡。
【発明の詳細な説明】
【技術分野】
【０００１】
本発明は、倒立顕微鏡と正立顕微鏡を組み合わせてなるシステム顕微鏡に関するものである。
【背景技術】
【０００２】
従来、標本の下側から標本を観察する倒立顕微鏡をベースにして、標本の上側にも観察用の手段を配置して正立顕微鏡の構成も備えたシステム顕微鏡が知られている。
【０００３】
特許文献１は、標本の上側からレーザ光線を照射して正立顕微鏡としての観察を可能としたものが開示され、また、特許文献２は、倒立顕微鏡の透過照明支柱の途中位置に回転支柱を設け、回転支柱の回転によりコンデンサと実体顕微鏡を選択的にステージ上方の光軸上に位置させることにより正立顕微鏡の機能を得られるものも開示されている。
【特許文献１】特開２００２−５５２８２号公報
【特許文献２】特公平５−５３３０号公報
【発明の開示】
【発明が解決しようとする課題】
【０００４】
ところが、これら特許文献１および２に示す顕微鏡では、検鏡者が観察をしながら、標本を操作できるようにすることが必要であり、このため、構造上、観察鏡筒を光軸上に配置できない倒立型顕微鏡では、観察時の視認性と操作性を確保するため、観察鏡筒（接眼レンズ）が標本を載置するステージよりも検鏡者側に大きく突出すようになっている。一方、正立顕微鏡については、観察鏡筒（接眼レンズ）を光軸上で標本を載置するステージ上方に配置しても、観察時の視認性と操作性を確保することができる。
【０００５】
この結果、これら倒立顕微鏡と正立顕微鏡を組み合わせたシステム顕微鏡では、倒立顕微鏡の鏡筒（接眼レンズ）が正立顕微鏡の鏡筒（接眼レンズ）より検鏡者側に大きく飛び出ることで、正立顕微鏡の鏡筒（接眼レンズ）を覗くときに、倒立顕微鏡の鏡筒（接眼レンズ）に検鏡者の体がぶつかるなど、正立顕微鏡の観察時の視認性と操作性の低下を招くという問題があった。
【０００６】
本発明は上記事情に鑑みてなされたもので、観察時の視認性と操作性に優れたシステム顕微鏡を提供することを目的とする。
【課題を解決するための手段】
【０００７】
請求項１記載の発明は、標本を載置するステージと、前記ステージの下方から前記標本の観察像を取得する観察光学系と、該観察光学系により取得された前記標本の観察像を観察する観察鏡筒とを有する倒立顕微鏡と、前記ステージの上方から前記標本の観察像を取得する観察光学系と、該観察光学系により取得された前記標本の観察像を観察する観察鏡筒とを有する正立顕微鏡と、を具備し、前記倒立顕微鏡および正立顕微鏡の少なくとも一方の観察鏡筒に、該観察鏡筒を観察位置から退避させる観察鏡筒退避手段を設けたことを特徴としている。
【０００８】
請求項２記載の発明は、請求項１記載の発明において、前記観察鏡筒退避手段が設けられた観察鏡筒は、固定鏡筒と可動鏡筒からなり、前記観察鏡筒退避手段は、前記可動鏡筒を前記固定鏡筒に対して回動可能に支持することを特徴としている。
【０００９】
請求項３記載の発明は、請求項１記載の発明において、前記観察鏡筒退避手段が設けられた観察鏡筒は、固定鏡筒と該固定鏡筒に伸縮自在な筒状体を介して連結される可動鏡筒からなり、前記観察鏡筒退避手段は、前記可動鏡筒を前記筒状体の伸縮方向に直線移動可能にしたことを特徴としている。
【００１０】
請求項４記載の発明は、請求項１記載の発明において、前記観察鏡筒退避手段が設けられた観察鏡筒は、可動鏡筒からなり、前記観察鏡筒退避手段は、前記倒立顕微鏡の観察光路の光軸方向に直線移動可能にしたことを特徴としている。
【発明の効果】
【００１１】
本発明によれば、倒立顕微鏡および正立顕微鏡の少なくとも一方の観察鏡筒を、通常の観察位置から退避できるようにしたので、倒立顕微鏡または正立顕微鏡による検鏡時に、観察鏡筒が検鏡者の観察作業の邪魔になるような状況を確実に回避することができ、観察時の視認性と操作性に優れたシステム顕微鏡を実現できる。
【発明を実施するための最良の形態】
【００１２】
以下、本発明の実施の形態を図面に従い説明する。
【００１３】
（第１の実施の形態）
図１および図２は、本発明の第１の実施の形態にかかるシステム顕微鏡の概略構成で、図１は、側面図、図２は、正面図である。
【００１４】
図において、１は顕微鏡本体で、この顕微鏡本体１には、ステージ２が固定されている。このステージ２上には標本３が載置されている。
【００１５】
ステージ２の下方には、観察光学系を構成する対物レンズ４が配置されている。対物レンズ４は、倍率の異なる複数本（図示例では３本）がレボルバー５に保持されている。レボルバー５は、回転操作可能になっていて、複数本の対物レンズ４を択一的に光軸Ｏ上に位置させるようになっている。
【００１６】
レボルバー５は、レボルバ保持台６に保持されている。レボルバ保持台６には、顕微鏡本体１内部の図示しないラック・ピニオン機構を介して回転焦準ノブ７が接続されている。回転焦準ノブ７は、検鏡者により回転操作されるもので、この回転運動がラック・ピニオン機構を介してレボルバ保持台６の光軸Ｏ方向の直線運動に変換され、ステージ２と対物レンズ４との相対距離を変化させることで、標本３のピント合わせを可能にしている。この場合、回転焦準ノブ７は、回転軸を共有する粗動ノブ７ａと微動ノブ７ｂおよび回転にかかる摩擦抵抗力を調整する力量調整ノブ７ｃ（図２参照）から構成され、粗動ノブ７ａの１回転によりレボルバ保持台６の１ｍｍ以上の任意の移動量が得られ、また、微動ノブ７ｂの１回転によりレボルバ保持台６の０．１ｍｍ程度の任意の移動量が得られるようになっている。
【００１７】
レボルバー５の下方の光軸Ｏ上には、ミラーカセット１１が着脱可能に配置されている。このミラーカセット１１には、ハーフミラー１２が着脱可能に設けられている。
【００１８】
ハーフミラー１２への入射光路上には、照明光路を構成する投光管１０が配置されている。この投光管１０は、顕微鏡本体１の後側で光軸Ｏと垂直方向に沿って配置されている。
【００１９】
投光管１０には、ランプハウス８が設けられている。ランプハウス８には、光源としてランプ９が内蔵されている。このランプ９からの光線は、投光管１０を通ってハーフミラー１２で光軸Ｏ方向に反射され、標本３の下方から照射される。
【００２０】
ハーフミラー１２の下方には、図２に示すように光軸Ｏに沿って対物レンズ４とともに観察光学系を構成する結像レンズ１３および光路切換えプリズム１４が配置されている。
【００２１】
光路切換えプリズム１４は、標本３からの光線を１００％透過するプリズム１４ａ、標本３からの光線を１００％もしくは一部を反射するプリズム１４ｂ、標本３からの光線を１００％もしくは一部を反射するプリズム１４ｃから構成され、これらプリズム１４ａ〜１４ｃを択一的に光軸Ｏ上に位置させるようになっている。
【００２２】
プリズム１４ｂの反射光路には、フロントポート１５が配置されている（図１参照）。このフロントポート１５は、顕微鏡本体１の正面側に配置されている。フロントポート１５には、撮像手段としてのカメラ１８が設けられている。このカメラ１８は、プリズム１４ｂで反射される標本３からの光（観察像）を撮像するようになっている。
【００２３】
また、プリズム１４ｃの反射光路には、フロントポート１６が配置されている（図２参照）。このフロントポート１６は、顕微鏡本体１の側面（図示例では右側面）に配置されている。フロントポート１６には、カメラ１９が設けられている。このカメラ１９も、プリズム１４ｃで反射される標本３からの光（観察像）を撮像するようになっている。
【００２４】
プリズム１４ａの透過光路には、反射ミラー２０が配置されている。反射ミラー２０は、プリズム１４ａで透過される標本３からの光（観察像）を斜め上方向（水平に対し４５°の角度）に反射させるようにしている。
【００２５】
反射ミラー２０の反射光路には、標本３の観察像を観察するための観察鏡筒２１が配置されている。この観察鏡筒２１は、顕微鏡本体１の正面に斜め上方に突出するように配置されている。
【００２６】
観察鏡筒２１は、接眼レンズ２２を有している。この接眼レンズ２２は、反射ミラー２０で反射される標本３からの光（観察像）が不図示のリレー光学系を介して入射し、検鏡者による目視観察を可能にしている。
【００２７】
この場合、観察鏡筒２１は、図３に示すように固定鏡筒２１ａと可動鏡筒２１ｂとから構成され、固定鏡筒２１ａが顕微鏡本体１に固定され、可動鏡筒２１ｂに接眼レンズ２２が設けられている。また、固定鏡筒２１ａと可動鏡筒２１ｂの間には、観察鏡筒退避手段としての２つの蝶番４０が設けられ、これらの蝶番４０を中心に可動鏡筒２１ｂが回動可能に支持されている。つまり、固定鏡筒２１ａに対し、蝶番４０を中心に可動鏡筒２１ｂを回動させることで、接眼レンズ２２部分を折り曲げ、通常の観察位置から退避させることができるようになっている。
【００２８】
固定鏡筒２１ａの周面には、ブロック４１が設けられている。このブロック４１は、可動鏡筒２１ｂを蝶番４０を中心に回動させたとき（図１の破線状態）、可動鏡筒２１ｂの一部が当接され、接眼レンズ２２の折り曲げ状態を保持するためのもので、２つの蝶番４０と同一面で反射ミラー２０からの反射光路（観察側光路）の光軸Ｏ’上に配置されている。
【００２９】
蝶番４０は、図３に示すように固定鏡筒２１ａに取り付けられた蝶番部４０ａと、可動鏡筒２１ｂに取り付けられた蝶番部４０ｂと、これら蝶番部４０ａ、４０ｂを連結するシャフト部４０ｃで構成されている。この場合、蝶番４０を構成する蝶番部４０ａ、４０ｂに代えてブロックで構成した２個の軸受部を設け、これら軸受部の間をシャフトを介して連結し、シャフトを中心に可動鏡筒２１ｂを回転可能にすることにより、接眼レンズ２２部分を通常の観察位置から退避できるようにしてもよい。このようにすれば、接眼レンズ２２を退避位置から精度よく観察位置に戻すことができる。なお、接眼レンズ２２を退避させる機構は、これらの構成に限らず、その他の回転機構を用いてもよい。
【００３０】
以上の構成が倒立顕微鏡１００である。
【００３１】
一方、ステージ２の上方には、観察光学系を構成する対物レンズ２３が配置されている。対物レンズ２３は、倍率の異なる複数本（図示例では３本）がレボルバー２４に保持されている。レボルバー２４は、回転操作可能になっていて、複数本の対物レンズ２３を択一的に光軸Ｏ上に位置させるようになっている。
【００３２】
レボルバー２４は、アーム２５に保持されている。アーム２５は、光軸Ｏと直交する方向に配置されたものである。アーム２５は、焦準ユニット３７を介して支柱３８に支持されている。支柱３８は、顕微鏡本体１に対し光軸Ｏ方向に沿って直立して設けられたもので、焦準ユニット３７を介してアーム２５を光軸Ｏ方向に沿って移動可能にしている。
【００３３】
焦準ユニット３７には、図示しないラック・ピニオン機構が設けられ、このラック・ピニオン機構を介して回転焦準ノブ２６が接続されている。回転焦準ノブ２６は、検鏡者により回転操作されるもので、この回転運動がラック・ピニオン機構を介してアーム２５の光軸Ｏ方向の直線運動に変換され、ステージ２と対物レンズ２３との相対距離を変化させることで、標本３のピント合わせを可能にしている。この場合、回転焦準ノブ２６は、回転軸を共有する粗動ノブ２６ａと微動ノブ２６ｂおよび回転にかかる摩擦抵抗力を調整する力量調整ノブ２６ｃ（図２参照）から構成され、粗動ノブ２６ａの１回転によりアーム２５の１ｍｍ以上の任意の移動量が得られ、また、微動ノブ２６ｂの１回転によりアーム２５の０．１ｍｍ程度の任意の移動量が得られるようになっている。
【００３４】
アーム２５上には、ミラーカセット３０が固定されている。このミラーカセット３０には、ハーフミラー３１が着脱可能に設けられている。
【００３５】
ハーフミラー３１への入射光路上には、照明光路を構成する投光管２９が配置されている。この投光管２９は、顕微鏡本体１の後側で光軸Ｏと垂直方向に沿って配置されている。
【００３６】
投光管２９には、ランプハウス２７が設けられている。ランプハウス２７には、落射照明用光源としてランプ２８が内蔵されている。このランプ２８からの光線は、投光管２９を通ってハーフミラー３１で光軸Ｏ方向に反射され、標本３の上方から照射される。
【００３７】
ハーフミラー３１の上方（透過光路）には、観察鏡筒としての三眼鏡筒３２が着脱可能に設けられている。三眼鏡筒３２には、光軸Ｏに沿って対物レンズ４とともに観察光学系を構成する結像レンズ１７と分割プリズム３３が内蔵されている。分割プリズム３３は、結像レンズ１７を透過した光路を２分割するものである。そして、分割プリズム３３で分割された一方の光路（反射光路）には、接眼レンズ３４が配置され、また、他方の光路（透過光路）には、カメラポート３５を介してカメラ３６が配置されている。
【００３８】
接眼レンズ３４は、結像レンズ１７より分割プリズム３３に入射し、分割プリズム３３で反射される標本３からの光（観察像）を目視観察できるようになっている。また、カメラ３６は、結像レンズ１７より分割プリズム３３に入射し、分割プリズム３３を透過される標本３からの光（観察像）を撮像できるようになっている。
【００３９】
以上の構成が正立顕微鏡２００である。
【００４０】
このような構成において、まず、倒立顕微鏡１００により落射照明観察を行なう場合を説明する。
【００４１】
この場合、観察鏡筒２１の可動鏡筒２１ｂを蝶番４０を中心に回動させ、固定鏡筒２１ａと同じ光軸Ｏ’上に位置させる（図示実線状態）。また、ミラーカセット１１を操作してハーフミラー１２を光軸Ｏ上に位置させる。
【００４２】
この状態で、ランプ９を点灯すると、ランプ９を出た光線は、ハーフミラー１２で反射し、対物レンズ４を介して標本３に照射される。また、標本３から出た光（観察像）は、対物レンズ４で平行光となり、ハーフミラー１２を透過し、結像レンズ１３を通って反射ミラー２０で斜め上方向に反射する。そして、不図示のリレー光学系を介して接眼レンズ２２に入射し、検鏡者による目視観察が行われる。
【００４３】
次に、正立顕微鏡２００により透過照明観察を行なう場合を説明する。
【００４４】
この場合、観察鏡筒２１の可動鏡筒２１ｂを蝶番４０を中心に、上述したと反対方向に回動させ、可動鏡筒２１ｂの一部をブロック４１に当接させ、接眼レンズ２２を折り曲げ、通常の観察位置から退避させた状態で保持する（図示破線状態）。また、ミラーカセット１１を操作してハーフミラー１２を光軸Ｏ上に位置させる。また、ミラーカセット３０を操作し、ミラー３１を光路から外す。
【００４５】
この状態で、ランプ９を点灯すると、ランプ９を出た光線は、ハーフミラー１２で反射し、対物レンズ４を介して標本３に照射される。また、標本３から出た光（観察像）は、対物レンズ４で平行光となり、結像レンズ１７を通って分割プリズム３３に入射する。そして、分割プリズム３３で２分割され、分割プリズム３３を反射した光は、接眼レンズ３４に入射し、検鏡者による目視観察が行われる。また、分割プリズム３３を透過した光は、カメラポート３５を介してカメラ３６に入射し、撮像される。
【００４６】
この場合、倒立顕微鏡１００に用いられる観察鏡筒２１は、可動鏡筒２１ｂをブロック４１に当接するまで回動させることで、接眼レンズ２２を図示破線の折り曲げ、通常の観察位置から退避させた状態にできるので、検鏡者が正立顕微鏡２００の接眼レンズ３４を覗く際に、倒立顕微鏡１００の接眼レンズ２２に体をぶつけるなどの事態を未然に回避できる。
【００４７】
従って、このようにすれば、正立顕微鏡２００の接眼レンズ３４で観察する際に、倒立顕微鏡１００の観察鏡筒２１の可動鏡筒２１ｂを回動させ、接眼レンズ２２を折り曲げたた状態とすることで、通常の観察位置から退避させるようにできるので、倒立顕微鏡１００の観察鏡筒２１が検鏡者の観察作業の邪魔になるような状況を確実に回避することができ、観察時の視認性と操作性に優れたシステム顕微鏡を実現できる。
【００４８】
（第２の実施の形態）
次に、本発明の第２の実施の形態を説明する。
【００４９】
図４は、本発明の第２の実施の形態にかかるシステム顕微鏡の概略構成を示す側面図で、図１および図２と同一部分には同符号を付している。
【００５０】
この第２の実施の形態では、倒立顕微鏡１００の観察鏡筒２１を固定鏡筒２１’のみの構成とし、また、正立顕微鏡２００の三眼鏡筒３２を引出し式鏡筒４２に置き換えるようにしている。
【００５１】
この場合、正立顕微鏡２００のミラーカセット３０の上方（透過光路）には、観察鏡筒として引出し式鏡筒４２が着脱可能に設けられている。この引出し式鏡筒４２は、固定鏡筒４２ａと可動鏡筒４２ｂからなっていて、固定鏡筒４２ａがミラーカセット３０の上方に固定され、可動鏡筒４２ｂに接眼レンズ３４が設けられている。これら固定鏡筒４２ａと可動鏡筒４２ｂは、観察鏡筒退避手段を構成する収縮可能な筒状体として中空のジャバラ５０により密閉状態で連結されている。
【００５２】
固定鏡筒４２ａには、図５に示すようにミラーカセット３０への固定側に、光軸Ｏと直交する方向（後述する光軸Ｏ’’）に沿ってアリ溝４５が形成されている。このアリ溝４５には、摺動アリ４６が摺動可能に保持されている。これらアリ溝４５と摺動アリ４６も観察鏡筒退避手段を構成している。
【００５３】
摺動アリ４６には、可動鏡筒４２ｂが固定されている。可動鏡筒４２ｂは、摺動アリ４６とともに、光軸Ｏ’’（ジャバラ５０の伸縮方向）に沿って移動可能になっている。また、摺動アリ４６には、一方端（図示左側端）はストッパ４９ａがねじ止めされている。また、摺動アリ４６の底面には、ストッパ４９ｂがねじ止めされている。これらストッパ４９ａ，４９ｂは、摺動アリ４６の移動範囲を規制するもので、ストッパ４９ａがアリ溝４５の一方側面（左側面）に当接した図示破線位置と、ストッパ４９ｂがアリ溝４５の他方側面（右側面）に当接した図示実線位置のそれぞれの状態が選択できるようになっている。
【００５４】
固定鏡筒４２ａには、光軸Ｏ上に沿って結像レンズ１７と分割プリズム４３が配置されている。分割プリズム４３は、結像レンズ１７を透過した光路を２分割するものである。
【００５５】
分割プリズム４３で分割された一方の光路（反射光路）の光軸Ｏ’’上には、凹レンズ４４が配置され、また、他方の光路（透過光路）には、カメラポート３５を介してカメラ３６が配置されている。
【００５６】
可動鏡筒４２ｂには、凹レンズ４４を通過した光軸Ｏ’’上に、凸レンズ４７と反射プリズム４８が配置されている。これら凸レンズ４７と反射プリズム４８は、凹レンズ４４を透過して入射される標本３からの光（観察像）を接眼レンズ３４に入射し、目視観察可能としている。
【００５７】
その他は、図１と同様である。
【００５８】
このような構成において、まず、倒立顕微鏡１００により落射照明観察を行なう場合を説明する。
【００５９】
この場合、引出し式鏡筒４２の可動鏡筒４２ｂを、摺動アリ４６とともにストッパ４９ｂがアリ溝４５の他方側面（右側面）に当接する図示実線位置まで押し込み方向に移動させる。この状態では、固定鏡筒４２ａと可動鏡筒４２ｂの間を連結するジャバラ５０は、最も縮んだ状態にあり、接眼レンズ３４は、通常の観察位置から退避されている。。また、ミラーカセット１１を操作してハーフミラー１２を光軸Ｏ上に位置させる。
【００６０】
この状態で、ランプ９を点灯すると、ランプ９を出た光線は、ハーフミラー１２で反射し、対物レンズ４を介して標本３に照射される。また、標本３から出た光（観察像）は、対物レンズ４で平行光となり、ハーフミラー１２を透過し、結像レンズ１３を通って反射ミラー２０で斜め上方向に反射する。そして、観察鏡筒２１内の不図示のリレー光学系を介して接眼レンズ２２に入射し、検鏡者による目視観察が行われる。
【００６１】
次に、正立顕微鏡２００により透過照明観察を行なう場合を説明する。
【００６２】
この場合、可動鏡筒４２ｂを、摺動アリ４６とともにストッパ４９ａがアリ溝４５の一方側面（左側面）に当接する図示破線位置まで引き出し方向に移動させる。この状態では、固定鏡筒４２ａと可動鏡筒４２ｂの間を連結するジャバラ５０は、最も伸びた状態になり、接眼レンズ３４は、通常の観察位置に復帰している。また、ミラーカセット１１を操作してハーフミラー１２を光軸Ｏ上に位置させる。また、ミラーカセット３０を操作し、ミラー３１を光路から外す。
【００６３】
この状態で、ランプ９を点灯すると、ランプ９を出た光線は、ハーフミラー１２で反射し、対物レンズ４を介して標本３に照射される。また、標本３から出た光（観察像）は、対物レンズ４で平行光となり、結像レンズ１７を通って分割プリズム３３に入射する。そして、分割プリズム３３で２分割され、分割プリズム３３を反射した光は、光軸Ｏ’’に沿って、凹レンズ４４、凸レンズ４７、反射プリズム４８を透過して接眼レンズ３４に入射し、検鏡者による目視観察が行われる。また、分割プリズム３３を透過した光は、カメラポート３５を介してカメラ３６に入射し、撮像される。
【００６４】
従って、このようにすれば、倒立顕微鏡１００の接眼レンズ２２で観察する際に、正立顕微鏡２００の引出し式鏡筒４２を押し込み方向に移動させ（ジャバラ５０が最も縮んだ状態）、接眼レンズ３４を、通常の観察位置から退避させるようにできるので、正立顕微鏡２００の接眼レンズ３４が検鏡者の観察作業の邪魔になるような状況を確実に回避することができる。また、正立顕微鏡２００の接眼レンズ３４で観察する場合は、引出し式鏡筒４２を引き出し方向に移動させ（ジャバラ５０が最も伸びた状態）ることにより、倒立顕微鏡１００の観察鏡筒２１が検鏡者の観察作業の邪魔になるような状況を回避することもできる。これにより、第１の実施の形態で述べたと同様に観察時の視認性と操作性に優れたシステム顕微鏡を実現できる。
【００６５】
（第２の実施の形態の変形例）
図６は、第２の実施の形態の変形例である正立顕微鏡２００の鏡筒部の概略構成を示すもので、図４と同一部分には同符号を付している。
【００６６】
この変形例では、引出し式鏡筒４２内のレンズ構成を変えたものである。この場合、正立顕微鏡２００のミラーカセット３０に引出し式鏡筒４２が脱着可能に設けられている。
【００６７】
この引出し式鏡筒４２は、固定鏡筒４２ａと可動鏡筒４２ｂの分割構造になって、固定鏡筒４２ａがミラーカセット３０の上方に固定され、可動鏡筒４２ｂに接眼レンズ３４が設けられている。これら固定鏡筒４２ａと可動鏡筒４２ｂは、収縮可能な中空状のジャバラ５１により密閉状態で連結されている。
【００６８】
固定鏡筒４２ａには、光軸Ｏ上に分割プリズム４３が配置されている。分割プリズム４３で分割された光路（透過光路）には、結像レンズ１７’、カメラポート３５を介してカメラ３６が配置されている。
【００６９】
可動鏡筒４２ｂには、分割プリズム４３で分割された他の光路（反射光路）の光軸Ｏ’’上に、結像レンズ５３と反射プリズム４８が配置されている。これら結像レンズ５３と反射プリズム４８は、固定鏡筒４２ａの分割プリズム４３で反射して直接入射される標本３からの光（観察像）を接眼レンズ３４に入射し、目視観察可能としている。
【００７０】
このような構成としても、第２の実施の形態と同様な効果を得られる。また、第２の実施の形態の引出し式鏡筒４２の固定鏡筒４２ａ内の凹レンズを省略できるので、観察光学系の構成を簡単にできる。
【００７１】
（第３の実施の形態）
次に、本発明の第３の実施の形態を説明する。
【００７２】
図７は、本発明の第３の実施の形態にかかるシステム顕微鏡の概略構成を示す側面図で、図１および図２と同一部分には同符号を付している。
【００７３】
この第３の実施の形態では、倒立顕微鏡１００の観察鏡筒２１を引出し式鏡筒５１に置き換えるようにしている。
【００７４】
この場合、反射ミラー２０で反射される光路の光軸Ｏ’上にリレーレンズ５４が配置され、また、光軸Ｏ’と平行にアリ溝５５が設けられている。このアリ溝５５には、摺動アリ５６が摺動可能に保持されている（図８参照）。これらアリ溝５５と摺動アリ５６は観察鏡筒退避手段を構成している。
【００７５】
摺動アリ５６には、可動鏡筒としての引出し式鏡筒５１が固定されている。引出し式鏡筒５１は、摺動アリ５６とともに、アリ溝５５に沿って、光軸Ｏ’方向（引出し式鏡筒５１の中心軸方向）に移動可能になっている。また、引出し式鏡筒５１には、接眼レンズ２２を脱着可能に固定している。また、引出し式鏡筒５１内部の光軸Ｏ’上には、結像レンズ５７が配置されている。
【００７６】
顕微鏡本体１には、図８に示すように、光軸Ｏ’と垂直方向にアリ溝５５を貫通する孔部５８が設けられている。顕微鏡本体１側の孔部５８の周面には、ねじ部が形成され、このねじ部にプランジャー５９がねじ込みにより固定されている。プランジャー５９は、不図示のバネとピン６０を有し、常時バネの偏倚力により、プランジャー５９端面からピン６０先端を突出するようになっている。プランジャー５９のピン６０と反対側の端面にはノブ６１が設けられている。このノブ６１はプランジャー５９内部でピン６０と一体になっており、ノブ６１を引き出すことにより、ピン６０をバネの偏倚力に抗してプランジャー５９内部に引き込み可能にしている。
【００７７】
アリ溝５５には、プランジャー５９と対応する位置に穴部６３が形成されている。この穴部６３は、引出し式鏡筒５１を最大まで引き出した状態（図示破線位置）で、プランジャー５９のピン６０が挿入される位置に設けられており、この位置で引出し式鏡筒５１の状態を保持するようになっている。
【００７８】
摺動アリ５６の右側面には、ストッパ６２がねじ止め等で固定されている。ストッパ６２は、引出し式鏡筒５１の移動範囲を規制するもので、アリ溝５５の右側面に当接した状態（図示実線位置）で、引出し式鏡筒５１の状態を保持するようになっている。
【００７９】
その他は、図１と同様である。
【００８０】
このような構成において、まず、倒立顕微鏡１００により落射照明観察を行なう場合を説明する。
【００８１】
この場合、引出し式鏡筒５１を、プランジャー５９のピン６０が穴部６３に挿入される図示破線位置まで引き出し方向に移動させる。また、ミラーカセット１１を操作してハーフミラー１２を光軸Ｏ上に位置させる。
【００８２】
この状態で、ランプ９を点灯すると、ランプ９を出た光線は、ハーフミラー１２で反射し、対物レンズ４を介して標本３に照射される。また、標本３から出た光（観察像）は、対物レンズ４で平行光となり、ハーフミラー１２を透過し、結像レンズ１３を通って反射ミラー２０で斜め上方向に反射する。そして、リレーレンズ５４、引出し式鏡筒５１内の結像レンズ５７を介して接眼レンズ２２に入射し、検鏡者による目視観察が行われる。
【００８３】
次に、正立顕微鏡２００により透過照明観察を行なう場合を説明する。
【００８４】
この場合、プランジャー５９のノブ６１を引き出し、ピン６０をバネの偏倚力に抗してプランジャー５９内部に引き込ませ、この状態で、引出し式鏡筒５１を、ストッパ６２がアリ溝５５の右側面に当接する図示実線位置まで押し込み方向に移動させる。また、ミラーカセット１１を操作してハーフミラー１２を光軸Ｏ上に位置させる。また、ミラーカセット３０を操作し、ミラー３１を光路から外す。
【００８５】
この状態で、ランプ９を点灯すると、ランプ９を出た光線は、ハーフミラー１２で反射し、対物レンズ４を介して標本３に照射される。また、標本３から出た光（観察像）は、対物レンズ４で平行光となり、結像レンズ１７を通って分割プリズム３３に入射する。そして、分割プリズム３３で２分割され、分割プリズム３３を反射した光は、接眼レンズ３４に入射し、検鏡者による目視観察が行われる。また、分割プリズム３３を透過した光は、カメラポート３５を介してカメラ３６に入射し、撮像される。
【００８６】
従って、このようにしても、正立顕微鏡２００の接眼レンズ３４で観察する際に、倒立顕微鏡１００の引出し式鏡筒５１を押し込み方向に移動させ、接眼レンズ２２を、通常の観察位置から退避させるようにできるので、正立顕微鏡２００の接眼レンズ３４が検鏡者の観察作業の邪魔になるような状況を確実に回避することができる。また、倒立顕微鏡１００の接眼レンズ２２で観察する場合は、引出し式鏡筒５１を引き出し方向に移動させ、接眼レンズ２２を通常の観察位置に復帰させることで、接眼レンズ２２で観察を安定して行なうこともできる。これにより、第１の実施の形態で述べたと同様に観察時の視認性と操作性に優れたシステム顕微鏡を実現できる。
【００８７】
なお、本発明は、上記実施の形態に限定されるものでなく、実施段階では、その要旨を変更しない範囲で種々変形することが可能である。上述した実施の形態では、ミラーカセット１１を操作してハーフミラー１２を光軸Ｏ上に位置させるようにしたが、観察方法によっては、ハーフミラー１２に代えてダイクロイックミラーや全反射ミラーであっても同様な効果を得られる。
【００８８】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【００８９】
なお、本発明の実施の形態には、以下の発明も含まれる。
【００９０】
（１）標本から下方に位置し下側対物レンズ及び下側結像レンズを介して下側観察手段に至る下側観察光路と、
前記標本から上方に位置し上側対物レンズ及び上側結像レンズを介して上側観察手段に至る上側観察光路と、
前記下側対物レンズと前記下側結像レンズの間で前記下側観察光路に入射する下側照明光路と、
前記下側対物レンズを前記下側観察光路に平行な方向に移動させる下側焦準部と、
前記上側対物レンズと前記上側結像レンズの間で前記上側観察光路に入射する上側照明光路と、
前記上側対物レンズを前記上側観察光路に垂直な平面内で移動させる移動機構と、
前記上側対物レンズと前記上側照明光路を一体的に前記上側観察光路に平行な方向に移動させる上側焦準部と、
前記下側観察光路と前記下側照明光路が交わる位置及び前記上側観察光路と前記上側照明光路が交わる位置の少なくとも一方にダイクロイックミラーを配置自在なミラーユニットと、
前記標本側に回転する前記倒立顕微鏡側の鏡筒と、
を具備したことを特徴とするシステム顕微鏡。
【００９１】
（２）標本から下方に位置し下側対物レンズ及び下側結像レンズを介して下側観察手段に至る下側観察光路と、
前記標本から上方に位置し上側対物レンズ及び上側結像レンズを介して上側観察手段に至る上側観察光路と、
前記下側対物レンズと前記下側結像レンズの間で前記下側観察光路に入射する下側照明光路と、
前記下側対物レンズを前記下側観察光路に平行な方向に移動させる下側焦準部と、
前記上側対物レンズと前記上側結像レンズの間で前記上側観察光路に入射する上側照明光路と、
前記上側対物レンズを前記上側観察光路に垂直な平面内で移動させる移動機構と、
前記上側対物レンズと前記上側照明光路を一体的に前記上側観察光路に平行な方向に移動させる上側焦準部と、
前記下側観察光路と前記下側照明光路が交わる位置及び前記上側観察光路と前記上側照明光路が交わる位置の少なくとも一方にダイクロイックミラーを配置自在なミラーユニットと、
検鏡者側に引き出し可能な前記正立顕微鏡側の鏡筒と、
を具備したことを特徴とするシステム顕微鏡。
【００９２】
（３）標本から下方に位置し下側対物レンズ及び下側結像レンズを介して下側観察手段に至る下側観察光路と、
前記標本から上方に位置し上側対物レンズ及び上側結像レンズを介して上側観察手段に至る上側観察光路と、
前記下側対物レンズと前記下側結像レンズの間で前記下側観察光路に入射する下側照明光路と、
前記下側対物レンズを前記下側観察光路に平行な方向に移動させる下側焦準部と、
前記上側対物レンズと前記上側結像レンズの間で前記上側観察光路に入射する上側照明光路と、
前記上側対物レンズを前記上側観察光路に垂直な平面内で移動させる移動機構と、
前記上側対物レンズと前記上側照明光路を一体的に前記上側観察光路に平行な方向に移動させる上側焦準部と、
前記下側観察光路と前記下側照明光路が交わる位置及び前記上側観察光路と前記上側照明光路が交わる位置の少なくとも一方にダイクロイックミラーを配置自在なミラーユニットと、
前記下側観察光路に設けられ前記下側結像レンズにより前記下側観察光路内で結像した試料像をリレーするためのリレーレンズ系と、
前記標本側に収納可能な前記倒立顕微鏡側の鏡筒と、
を具備したことを特徴とするシステム顕微鏡。
【図面の簡単な説明】
【００９３】
【図１】本発明の第１の実施の形態にかかるシステム顕微鏡の概略構成を示す図。
【図２】第１の実施の形態にかかるシステム顕微鏡の概略構成を示す図。
【図３】第１の実施の形態に用いられる観察鏡筒の概略構成を示す図。
【図４】本発明の第２の実施の形態にかかるシステム顕微鏡の概略構成を示す図。
【図５】第２の実施の形態に用いられる引出し式鏡筒の概略構成を示す図。
【図６】第２の実施の形態の変形例の引出し式鏡筒の概略構成を示す図。
【図７】本発明の第３の実施の形態にかかるシステム顕微鏡の概略構成を示す図。
【図８】第３の実施の形態に用いられる引出し式鏡筒の概略構成を示す図。
【符号の説明】
【００９４】
１００…倒立顕微鏡、２００…正立顕微鏡
１…顕微鏡本体、２…ステージ、３…標本、４…対物レンズ
５…レボルバー、６…レボルバ保持台、７…回転焦準ノブ
７ａ…粗動ノブ、７ｂ…微動ノブ、７ｃ…力量調整ノブ
８…ランプハウス、９…ランプ、１０…投光管
１１…ミラーカセット、１２…ハーフミラー
１３…結像レンズ、１４…プリズム、１４ａ〜１４ｃ…プリズム
１５、１６…フロントポート、１７…結像レンズ
１８、１９…カメラ、２０…反射ミラー、２１…観察鏡筒
２１ａ…固定鏡筒、２１ｂ…可動鏡筒、２１’…固定鏡筒
２２…接眼レンズ、２３…対物レンズ、２４…レボルバー
２５…アーム、２６…回転焦準ノブ
２６ａ…粗動ノブ、２６ｂ…微動ノブ、２６ｃ…力量調整ノブ
２７…ランプハウス、２８…ランプ、２９…投光管
３０…ミラーカセット、３１…ハーフミラー
３２…三眼鏡筒、３３…分割プリズム、３４…接眼レンズ
３５…カメラポート、３６…カメラ、３７…焦準ユニット
３８…支柱、４１…ブロック、４２…引出し式鏡筒
４２ａ…固定鏡筒、４２ｂ…可動鏡筒、４３…分割プリズム
４４…凹レンズ、４５…アリ溝、４６…摺動アリ
４７…凸レンズ、４８…反射プリズム、４９ａ．４９ｂ…ストッパ
５０…ジャバラ、５１…引き出し式鏡筒
５３…結像レンズ、５４…リレーレンズ、５５…アリ溝
５６…摺動アリ、５７…結像レンズ、５８…孔部
５９…プランジャー、６０…ピン、６１…ノブ
６２…ストッパ、６３…穴部
【図１】
2005266213.tif 000003
【図２】
2005266213.tif 000004
【図３】
2005266213.tif 000005
【図４】
2005266213.tif 000006
【図５】
2005266213.tif 000007
【図６】
2005266213.tif 000008
【図７】
2005266213.tif 000009
【図８】
2005266213.tif 000010